(57)【要約】【課題】引張強度に優れた汚泥掻寄せ機のチェーンリンクを提供する。【解決手段】一端側の第１連結部２と他端側の第２連結部３とにかけて形成される基板部４および一対の側板部５Ａ，５Ｂを備え、側板部５Ａ，５Ｂには、スプロケットホイールのピンに係合するノッチが設けられた汚泥掻寄せ機のチェーンリンク１であって、基板部４に、チェーンの移動方向に延び第１連結部２と第２連結部３とを繋ぐ幹状リブ１０と、幹状リブ１０の両側から一対の側板部５Ａ，５Ｂまでにかけてチェーンの移動方向に対し斜めに延びる少なくとも一対の枝状リブ２０と、を備える。【選択図】図３
2020169064.tif 000002
【特許請求の範囲】
【請求項１】
一端側の第１連結部と他端側の第２連結部とにかけて形成される基板部および一対の側板部を備え、前記側板部には、スプロケットホイールのピンに係合するノッチが設けられた汚泥掻寄せ機のチェーンリンクであって、
前記基板部に、
チェーンの移動方向に延び前記第１連結部と前記第２連結部とを繋ぐ幹状リブと、
前記幹状リブの両側から前記一対の側板部までにかけてチェーンの移動方向に対し斜めに延びる少なくとも一対の枝状リブと、
を備えることを特徴とする汚泥掻寄せ機のチェーンリンク。
【請求項２】
前記一対の側板部は、一端側から他端側に向かうに連れ互いに離間するように斜めに延びる側板傾斜部を備え、
前記一対の枝状リブは、前記幹状リブと前記側板傾斜部との間で、他端側から一端側に向かうに連れ互いに離間するように斜めに延びていることを特徴とする請求項１に記載の汚泥掻寄せ機のチェーンリンク。
【請求項３】
前記幹状リブは、前記第１連結部から直線状に延びる主幹部と、前記主幹部の他端側から両側に延びたうえで前記第２連結部まで延びる略コ字形の拡幅部と、を備え、
前記枝状リブは、前記主幹部と前記側板傾斜部との間で延びる一対の第１枝状リブと、前記拡幅部と前記側板傾斜部との間で延びる一対の第２枝状リブと、を備えていることを特徴とする請求項２に記載の汚泥掻寄せ機のチェーンリンク。
【発明の詳細な説明】
【技術分野】
【０００１】
本発明は、汚泥掻寄せ機のチェーンリンクに関する。
【背景技術】
【０００２】
汚泥掻寄せ機で使用されるチェーンリンクの従来例として特許文献１に記載のものが挙げられる。特許文献１には、ノッチ式チェーンリンクが記載されている。
【先行技術文献】
【特許文献】
【０００３】
【特許文献１】特許第６２７３５２７号公報
【発明の概要】
【発明が解決しようとする課題】
【０００４】
チェーンリンクにはチェーンの移動方向に引張力が作用するため、チェーンリンクが変形しやすいという問題がある。汚泥掻寄せ機では、チェーンリンクは水中で使用されるために防錆の点から樹脂製であることが殆どであり、金属製に比べ引張強度が低くなりやすい。
【０００５】
本発明はこのような課題を解決するために創作されたものであり、引張強度に優れた汚泥掻寄せ機のチェーンリンクを提供することを目的とする。
【課題を解決するための手段】
【０００６】
前記課題を解決するため、本発明は、一端側の第１連結部と他端側の第２連結部とにかけて形成される基板部および一対の側板部を備え、前記側板部には、スプロケットホイールのピンに係合するノッチが設けられた汚泥掻寄せ機のチェーンリンクであって、前記基板部に、チェーンの移動方向に延び前記第１連結部と前記第２連結部とを繋ぐ幹状リブと、前記幹状リブの両側から前記一対の側板部までにかけてチェーンの移動方向に対し斜めに延びる少なくとも一対の枝状リブと、を備えることを特徴とする。
【０００７】
本発明によれば、一対の枝状リブがチェーンの移動方向に対し斜めに延びることから、チェーンの移動方向に働く引張力に対し、チェーンリンクの引張強度が高まる。
【発明の効果】
【０００８】
本発明によれば、引張強度に優れた汚泥掻寄せ機のチェーンリンクとなる。
【図面の簡単な説明】
【０００９】
【図１】スプロケットホイールに係合した状態の無端チェーンの側面図である。
【図２】汚泥掻寄せ機の構成図である。
【図３】本実施形態に係るチェーンリンクの平面図である。
【図４】図３におけるIV-IV断面図である。
【図５】本実施形態に係るチェーンリンクの側面図である。
【図６】本実施形態に係るチェーンリンクの外観斜視図である。
【発明を実施するための形態】
【００１０】
図１、図２において、本発明のチェーンリンク１は汚泥掻寄せ機３０に使用される。汚泥掻寄せ機３０は、図２に示すように、処理槽３１の底部に沈澱する汚泥をスクレーパ３２により排出ピット３３に掻き寄せる。スクレーパ３２は、複数のスプロケットホイール３４に掛け回された無端チェーン３５に間隔をあけて複数装着されている。
【００１１】
無端チェーン３５は水中で使用されるため、無端チェーン３５を構成するチェーンリンク１は樹脂製のノッチ式チェーンリンクで構成されている。図１に示すように、スプロケットホイール３４には円周方向に間隔をあけて複数のピン３６が設けられている。無端チェーン３５は、チェーンリンク１のノッチ８がピン３６に係合することで、スプロケットホイール３４に係合し循環移動する。
【００１２】
図３ないし図６を参照してチェーンリンク１について詳細に説明する。チェーンリンク１は、一端側の第１連結部２と他端側の第２連結部３とにかけて形成される基板部４および一対の側板部５Ａ，５Ｂを備えている。第１連結部２は、図４に示すように、チェーンリンク１の幅方向（これを左右方向とする）から見て略円形を呈しており、連結ピン４０（図３）を通すピン孔６が左右方向に貫通するように設けられている。第２連結部３も、左右方向から見て略円形を呈しており、連結ピン４０を通すピン孔７が左右方向に貫通するように設けられている。
【００１３】
図３に示すように、第２連結部３は、隣りのチェーンリンク１（仮想線にて示す）の第１連結部２を挟むように左右一対で構成されている。これにより、基板部４は、第１連結部２から第２連結部３に向けて末広がり状に延びている。一対の側板部５Ａ，５Ｂは基板部４の左右の縁に、基板部４と直交するように形成されている。図５に示すように、側板部５Ａ，５Ｂには、スプロケットホイール３４のピン３６に係合するノッチ８が形成されている。図３において、基板部４は末広がり状に延びているため、一対の側板部５Ａ，５Ｂには、一端側から他端側に向かうに連れ互いに離間するように斜めに延びる側板傾斜部９Ａ，９Ｂが形成されている。
【００１４】
基板部４の一面には、幹状リブ１０および枝状リブ２０が突設されている。幹状リブ１０は、第１連結部２と第２連結部３とを繋ぐように無端チェーン３５の移動方向に延びている。基板部４からの幹状リブ１０の高さは、側板部５Ａ，５Ｂの高さと同程度である。幹状リブ１０は、第１連結部２の左右方向中心部から直線状に延び、枝状リブ２０の厚みよりも厚い板状の主幹部１１と、主幹部１１の他端側から左右両側に延びたうえで左右一対の第２連結部まで延び、図３から判るように略コ字形を呈した拡幅部１２と、を備えている。
【００１５】
枝状リブ２０は、幹状リブ１０の両側から一対の側板部５Ａ，５Ｂまでにかけて無端チェーン３５の移動方向に対し斜めに延びている。つまり枝状リブ２０は少なくとも左右一対として形成されている。本実施形態では、枝状リブ２０は、主幹部１１と側板傾斜部９Ａ，９Ｂとの間で延びる左右一対の第１枝状リブ２０Ａ，２０Ｂと、拡幅部１２と側板傾斜部９Ａ，９Ｂとの間で延びる左右一対の第２枝状リブ２０Ｃ，２０Ｄとの２対組みで構成されている。場合により、第１枝状リブ２０Ａ，２０Ｂのみ、或いは第２枝状リブ２０Ｃ，２０Ｄのみを設けてもよい。また、枝状リブ２０を３対組み以上設けてもよい。
【００１６】
第１枝状リブ２０Ａ，２０Ｂは、側板傾斜部９Ａ，９Ｂの傾斜方向とは逆に、つまり他端側から一端側に向かうに連れ互いに離間するように斜めに延びている。第２枝状リブ２０Ｃ，２０Ｄも、他端側から一端側に向かうに連れ互いに離間するように斜めに延びている。なお、基板部４からの第１枝状リブ２０Ａ，２０Ｂ、第２枝状リブ２０Ｃ，２０Ｄの高さは、側板部５Ａ，５Ｂおよび幹状リブ１０の高さよりも若干低い程度である。無端チェーン３５の移動方向に対する各枝状リブ２０の傾斜角度θは、例えば１０〜４５度程度であり、３０度程度とすることが好ましい。
【００１７】
以上のように、基板部４に、チェーンの移動方向に延び第１連結部２と第２連結部３とを繋ぐ幹状リブ１０と、幹状リブ１０の両側から一対の側板部５Ａ，５Ｂまでにかけてチェーンの移動方向に対し斜めに延びる少なくとも一対の枝状リブ２０と、を備えることにより以下の効果が奏される。一対の枝状リブ２０は、チェーンの移動方向に対し斜めに延びることから、チェーンの移動方向に働く引張力に対し、チェーンリンク１の引張強度が高まる。これは、枝状リブ２０が幹状リブ１０と側板部５Ａ，５Ｂ（側板傾斜部９Ａ，９Ｂ）の間に斜めに設けられていることから、直交方向に設けられたものより、チェーンの移動方向に延びる力が作用することによるものである。
【００１８】
さらに、一対の側板部５Ａ，５Ｂが、一端側から他端側に向かうに連れ互いに離間するように斜めに延びる側板傾斜部９Ａ，９Ｂを備えている場合、一対の枝状リブ２０は、幹状リブ１０と側板傾斜部９Ａ，９Ｂとの間で、他端側から一端側に向かうに連れ互いに離間するように斜めに延びるようにすれば以下の効果が奏される。チェーンの移動方向に働く引張力により、側板傾斜部９Ａ，９Ｂには、他端側の間隔を狭めようとする力が作用する。この力に対し、一対の枝状リブ２０は他端側から一端側に向かうに連れ互いに離間するように斜めに延びているので、高い支持強度で力を受け止め、側板傾斜部９Ａ，９Ｂの変形を抑制できる。
【００１９】
幹状リブ１０が、第１連結部２から直線状に延びる主幹部１１と、主幹部１１の他端側から両側に延びたうえで第２連結部３まで延びる略コ字形の拡幅部１２とを備える場合、枝状リブ２０は、主幹部１１と側板傾斜部９Ａ，９Ｂとの間で延びる一対の第１枝状リブ２０Ａ，２０Ｂと、拡幅部１２と側板傾斜部９Ａ，９Ｂとの間で延びる一対の第２枝状リブ２０Ｃ，２０Ｄとを備えるようにすれば、側板傾斜部９Ａ，９Ｂの変形を一層抑制できる。
【００２０】
以上、本発明の好適な実施形態を説明した。幹状リブ１０および枝状リブ２０の形状やレイアウトは図示したものに限定されずに実施可能である。また、幹状リブ１０および枝状リブ２０は基板部４の他面側にも突設してもよい。
【符号の説明】
【００２１】
１      チェーンリンク
２      第１連結部
３      第２連結部
４      基板部
５Ａ，５Ｂ  側板部
９Ａ，９Ｂ  側板傾斜部
１０      幹状リブ
１１      主幹部
１２      拡幅部
２０      枝状リブ
２０Ａ，２０Ｂ  第１枝状リブ
２０Ｃ，２０Ｄ  第２枝状リブ
【図１】
2020169064.tif 000003
【図２】
2020169064.tif 000004
【図３】
2020169064.tif 000005
【図４】
2020169064.tif 000006
【図５】
2020169064.tif 000007
【図６】
2020169064.tif 000008